(57)【要約】【課題】見栄えがよい観賞用フィギュアの分割構造を得ると共にクレーンゲーム機において展示効果があり、さらにはクレーンゲーム機で取得しやすい構造のパッケージを得る。【解決手段】樹脂製フィギュアを任意数に環切り状に分割し、該分割部の分割構造は輪切状の切断部を有し、一方の側の該切断部は辺縁に環状の段差を設け、他方の側の該切断部には一方の側の段差に嵌合する環状壁を設け、両切断部の中央には両接続部を接続する接続構造を有する樹脂製フィギュアの分割構造としてある。【選択図】  図２
2005000620.tif 000002
【特許請求の範囲】
【請求項１】
樹脂製フィギュアを任意数に環切り状に分割し、該分割部の分割構造は輪切状の切断部を有し、一方の側の該切断部は辺縁に環状の段差を設け、他方の側の該切断部には一方の側の段差に嵌合する環状壁を設け、両切断部の中央には両接続部を接続する接続構造を有することを特徴とする樹脂製フィギュアの分割構造。
【請求項２】
請求項１における一方の切断部の切断部には雄部、他方の切断部には雌部からなる接続構造を有することを特徴とする樹脂製「フィギュアの分割構造。
【請求項３】
請求項２における雄部は断面平面の幅広部に設けた円柱体に底辺の径が該円柱体の径より大きい略半球状体を同心円状に設け、雌部は、前記雄部に対応する他方の断面平面に前記雄部の円柱体を密着収納する奥行き開口であることを特徴とする樹脂製「フィギュアの分割構造。
【請求項４】
請求項３において雄部の円柱部と略半球状体の接合部の断面形状には丸みをもって構成されていることを特徴とする樹脂製「フィギュアの分割構造。
【請求項５】
略方形体の底保持台の側面から背台紙が立設し該背台紙が上部で底保持台の上側で保持棚を構成し、底保持台に開口した開口部と前記保持棚に切込みを入れ開口を設け、商品を前記底保持台の開口と前記保持棚の開口とで嵌込み保持して収納することを特徴とする収納パッケージ。
【請求項６】
請求項５において、底保持台の開口及び保持棚の切り欠き開口は複数設け、底保持台に保持する商品は底保持台の床面まで到達して保持することを特徴とする収納パッケージ。
【請求項７】
請求項６において、底保持台の開口及び保持棚の開口は収納する商品の重心が底保持台の中央になるように左右のバランスを取っていることを特徴とする収納パッケージ。
【請求項８】
請求項７において、底保持台の両側面は側面全体とせずに一部側面として、両側面に対称に開口を設けていることを特徴とする収納パッケージ。
【請求項９】
請求項８において、底保持台の台座面から垂下される両側面は横幅から内側に奥まった位置から垂接して設けられたことを特徴とする収納パッケージ。
【請求項１０】
請求項５乃至９のいずれか１項において、背台紙の横幅より若干大きい部品を、全体の重心の位置の高さに横設して背台紙の両側に突出して固定したことを特徴とする収納パッケージ。
【請求項１１】
請求項５乃至１０のいずれか１項において、保持台紙に商品部品を収納して底保持台の底面を底部とする透明ビニールの袋体で覆い、上部にヘッダで前記袋体を閉じたことを特徴とする収納パッケージ。
【請求項１２】
請求項１１において、保持台紙の棚台紙の上側に棚台紙を折り返して上側に背台紙を設け、該背台紙の折り返し部は手前側に折り曲げ自在になっていることを特徴とする収納パッケージ。
【発明の詳細な説明】
【０００１】
【発明の属する技術分野】
本発明は軟質樹脂製フィギュアに関して、主としてクレーンゲーム機の景品として場所を取らないように分割して収納展示にするために同フィギュアの分割構造及びその収納展示に適するパッケージに関する。
【０００２】
【従来の技術】
アミューズメントセンター等の店頭には景品を吊り上げて獲るクレーンゲーム機が設置されており、人気を博している。出願人はクレーンゲーム機の景品落下口の径より大きい大型縫いぐるみに対して任意数に分割縫合された縫いぐるみの分割面の双方に接合具を分割面の周囲よりへこませて取り付けた分割縫いぐるみを提供している（例えば特許文献１）。
【０００３】
さらに種々の動物の首と胴又はさらにその他の部分を別々に形成し、かつ互いに異なる動物の首と胴又はさらにその他の部分を結合するように結合手段を設けてなる動物の組合せ玩具が提案されており、結合手段は一方に孔を設け、かつ他方には孔にはまり込む突起を設け、かつ突起は柔軟な合成樹脂で成形している（例えば特許文献２）。
【０００４】
近年、このクレーンゲーム機の景品として、軟質樹脂製「フィギュアが出まわり、景品をクレーンゲーム機内に分割して収納展示する必要が生じ、景品を適当な大きさに分割して、景品取得後に取得者が景品を組み立てるようになっている。当社製の景品では、怪獣映画のキャラクタであるガメラの三代目（ガメラ３ハイグレードフィギュア：２００２年１月発売）では、軟質樹脂製のフィギュアの体と尻尾が分割されており、分割面の接合部には胴体部が分割面の断面形状に合わせた開口部が形成され、尻尾部は先端が環状拡幅に形成された突起部から形成され、尻尾部を胴体部の開口部に差込み組立てるようになっている。
【０００５】
図１０に従来技術の一部裁断図を示す。この株式会社バンプレスト製のゴジラのフィギュア０１では、胴体部０２と尻尾部０３の付け根で分割され、分割部の構造は、胴体部の分割面が輪郭に沿って略丸孔に開口０２ａしており、尻尾部０３が分割断面より若干小さいに球状の張膨部０３ａが形成されており、差込み組立てるようになっており、このフィギュアは図示していないがビニール袋に詰めて上部にヘッダが取り付けられ、紐で吊るすようになっている。
【０００６】
【特許文献１】
実公平７−２５９９５（第３頁、第１図）
【特許文献２】
実開昭５２−１４４０８９（第１図）
【０００７】
【発明が解決しようとする課題】
特許文献１では、クレーンゲーム機を操作する顧客は景品の縫いぐるみの頭、胴体、尻尾、足がばらばらに入っているため、必ずしも全部のパーツが取れるとも限らず、縫いぐるみが完成できない場合もあった。
そこで、当社製の上記ガメラのフィギュアでは、体と尻尾を袋詰めにしたセットとして、一回でそのセットが獲れるようにしてある。しかし、開口部と突起部からなる接合部の構造では、断面が分割面にあわせた形状にしてあるために組み立てる際にねじ込むことができず、取り付け、取り外しが容易ではなかった。なによりもこの構造はフィギュアの分割面に合わせているため、フィギュア毎に異なり、まさに一品、一品の手作りによる金型設計になってしまうのであった。
【０００８】
特許文献２では、結合手段として一方に孔を設け且つ他方には孔にはまり込む突起を設け、接合面は曲面になっているだけであり、互いに突起を中心にネジレが生じやすい構造であった。これでは、関節部分には良好であるが、関節でない部分では好ましくないのであった。
【０００９】
さらに上記ゴジラの球状の張膨部構造では、押し込む際に非常に大きな力が必要となり、場合によっては両方の部品を加熱して柔らかくしてからでなければ押し込むことが出来なかったのである。
さらにバンプレスト社製のフィギュアでは袋詰めのためクレーンゲームの景品展示台に置いた際に、フィギュアのパッケージは単に袋詰めしてあるだけであり正面に向けるには吊るすしかなく、フィギュアを床面に立てた状態で展示した場合に座りが悪く、倒れやすく寝かした状態になるのであった。これでは、展示台の床に数多くのフィギュアを見栄えよく入れることができず、寝かして重ねるのでは展示効果としては今一つであった。そこで本願は見栄えがよい観賞用フィギュアの分割構造を得ると共にクレーンゲーム機において展示効果があり、さらにはクレーンゲーム機で取得しやすい構造のパッケージを得ることを目的としている。
【００１０】
【課題を解決するための手段】
本願発明では上記課題を解決するために、樹脂製フィギュアを任意数に環切り状に分割し、該分割部の分割構造は輪切状の切断部を有し、一方の側の該切断部は辺縁に環状の段差を設け、他方の側の該切断部には一方の側の段差に嵌合する環状壁を設け、両切断部の中央には両接続部を接続する接続構造を有する樹脂製フィギュアの分割構造としてある。
上記発明により、フィギュアが大型になっても適宜切断して接続する構造を設けることで、収納スペースが狭くできる。
【００１１】
さらに本願発明では上記課題を解決すべく上記において、一方の切断部の切断部には雄部であるボス部、他方の切断部には雌部である開口の接続構造を有する樹脂製「フィギュアの分割構造としてある。
上記発明により、切断部の構造が接続できるようになっているので、元の大きさに組み立てられるのである。
【００１２】
さらに本願発明では上記課題を解決すべく上記において、雄部は断面平面の幅広部に設けた円柱体に底辺の径が該円柱体の径より大きい略半球状体を同心円状に設け、雌部は、前記雄部に対応する他方の断面平面に前記雄部の円柱体を密着収納する奥行き開口である樹脂製「フィギュアの分割構造としてある。
これにより雄部と雌部を嵌合させることにより固定密着できる分割構造を得られるのである。
【００１３】
さらに本願発明では上記課題を解決すべく上記において、雄部の円柱部と略半球状体の接合部の断面形状には丸みをもって構成される樹脂製「フィギュアの分割構造としてある。
これによりフィギュアを分割部の接続構造で組み立てた後も取り外しが接合部の断面形状に丸みがあるので簡単に取り外しができ、複数回の取りつけ取り外しが可能となっている。
【００１４】
さらに本願発明では上記課題を解決すべく上記において、略方形体の底保持台の側面から背台紙が立設し該背台紙が上部で底保持台の上側で保持棚を構成し、底保持台に開口した開口部と前記保持棚に切込みを入れ開口を設け、商品を前記底保持台の開口と前記保持棚の開口とで嵌込み保持して収納する収納パッケージとしてある。
これにより商品を底保持台と保持棚の間に掛け渡して保持することができ、見やすくパッケージに収納展示することができるのである。
【００１５】
さらに本願発明では上記課題を解決すべく上記において、底保持台の開口及び保持棚の切り欠き開口は複数設け、底保持台に保持する商品は底保持台の床面まで到達して保持する収納パッケージとしてある。
これにより、商品は底保持台に当接するので、パッケージの底板を床に立てた場合に重心位置が下方にくるので安定性がよいのである。
【００１６】
さらに本願発明では上記課題を解決すべく上記において、底保持台の開口及び保持棚の開口は収納する商品の重心が底保持台の中央になるように左右のバランスを取っている収納パッケージとしてある。
これにより重心のバランスがよくなると共に、見た目の安定して見え、正面からの構図が安定して優れた商品ディスプレイパッケージを提供しているのである。
【００１７】
さらに本願発明では上記課題を解決すべく上記において、底保持台の両側面は側面全体とせずに一部側面として、両側面に対称に開口を設けている収納パッケージとしてある。
これによりクレーンゲーム機の把持爪が両則面の開口に掛けることができ、収納パッケージを取りやすくなるのである。
【００１８】
さらに本願発明では上記課題を解決すべく上記において、底保持台の台座面から垂下される両側面は横幅から内側に奥まった位置から垂接して設けられた収納パッケージとしてある。
これによりクレーンゲームの把持爪が底保持台の背面、底面、手前面のいずれの面にもかかることができ、把持爪でパッケージを掴みやすいのである。
【００１９】
さらに本願発明では上記課題を解決すべく上述のパッケージのいずれか一つにおいて、背台紙の横幅より若干大きい部品を、全体の重心の位置の高さに横設して背台紙の両側に突出して固定した収納パッケージとしてある。
これにより収納パッケージが寝かしてある場合でもクレーンゲーム機で重心位置の背台紙より横幅がある部品に把持爪を掛けることが可能となるのである。
【００２０】
さらに本願発明では上記課題を解決すべく上述のパッケージのいずか一つにおいて、保持台紙に商品部品を収納して底保持台の底面を底部とする透明ビニールの袋体で覆い、上部にヘッダで前記袋体を閉じた収納パッケージとしてある。
これにより収納内容を何れの方向からも観察することができ、展示効果が非常に大きいパッケージとなり、さらにビニールの袋体であるので、多少の延び縮みに余裕がでるのでクレーンゲーム機の把持爪で収納物を比較的掴みやすいのである。
【００２１】
さらに本願発明では上記課題を解決すべく、上記において、保持台紙の棚台紙の上側に棚台紙を折り返して上側に背台紙を設け、該背台紙の折り返し部は手前側に折り曲げ自在になっている収納パッケージとしてある。
これにより収納パッケージの背台紙が床面に当接している場合でも上側の背台紙はヘッダにより引っ張られていおり、ヘッダが宙に浮くことができ、この空間にクレーンゲーム機の把持爪を掛けることで、ヘッダを掴むことで、パッケージを吊り上げることができるのである。
【００２１】
【発明の実施の形態】
以下、本発明に係る樹脂製「フィギュアの分割構造及びその収納パッケージの実施形態を図面に示した実施例を参照して詳細に説明する。
【００２２】
【実施例】
本実施例に係る樹脂製「フィギュアについて説明する。図１には軟質樹脂の恐竜のフィギュアが楕円形の台座に固定されている前方斜視図を示す。このフィフュア１の全長は５０ｃｍほどあり、見た目は大きく顧客への訴求力は非常に強い。
このままでは図７に示すクレーンゲーム機１００の景品落下口１１０に引っかかり取れない。従ってやむを得ず、胴体部２と尻尾部３が分割線４０で二分割する分割構造を有しており、顧客がフィギュア１をクレーンゲーム機１００から取得後に、持ち帰えって組立てるようになっている。すわわち、胴体部２と尻尾部３を結合させて、さらに台座４にフィギュア１を固定させるのである。
【００２３】
フィギュア１は塩化ビニール等の若干可撓性のある軟質樹脂製で、恐竜のティラノザウルスが頭部２ａを右側に向け固定展示されている。
台座４には楕円の長径をやや跨ぐ位置関係で右後脚２ｂの位置にボス４ａを設け、後左脚位置には脚受体５ｂが立設され該脚受体にはボスが４ｃを有しており、それぞれフィギュアの右後脚２ｂが前に出して脚裏の小孔をボス５ａに嵌入し、左後脚２ｃが後ろ側でかかとが浮いた部分の小孔が脚受体のボス５ｃに嵌入してフィギュア１が台座５に固定される。
【００２４】
フィギュアは尻尾部３が後上に伸びた状態で、歩行している姿勢であり、フィギュア内部は中空に造られている。フィギュアの胴体部２は、さらに頭部２ａ、後脚部２ｂ、２ｃに分れた金型の夫々に溶けた軟質樹脂を入れて回転させることにより、金型の内側に軟質樹脂が一様に広がり、金型から取り外して形成される。
その後に胴体部２に頭部２ａ、後脚部２ｂ、２ｃ、前脚２ｄ、２ｅをそれぞれ接着させ、その後に着色して造られる。
【００２５】
図２はフィギュアの胴体部と尻尾部の分割部の構造を示す斜視図である。胴体部２と尻尾部３は後脚部２ｂ、２ｃの後ろで平面で分割線４０で輪切りにしたように分割される。輪切りにした断面は人の目の外形を模した楕円状の断面を有している。
胴体部の分割構造２０は、胴体部の外皮側が平面環状にした縁取部２１が形成され、その縁取部２１より段差部２２を外側に出した平面部２３に形成され、この平面部のほぼ中央にはボス部２４が設けられている。
【００２６】
他方、尻尾部の分割構造３０は、尻尾部の外皮側が平面環状にした縁取部３１が形成され、その縁取部３１より段差部３２を内側に凹ませて平面部３３が形成され、この平面部のほぼ中央部には丸穴部３４が設けられている。
それぞれ、胴体部の分割構造２０と相対して尻尾部の分割構造３０が固定されるようになっている。
【００２７】
図３には胴体部と尻尾部の分割構造の概略図を示す。図３（Ａ）は胴体部のボス部の正面図と側面図を示し、同（Ｂ）は尻尾部の丸穴部の正面図と縦断面図を示し、同（Ｃ）は、ボス部と丸穴部が嵌合した側面図を示す。同（Ｄ）は胴体部と尻尾部の分割構造の斜視図を示している。
【００２８】
胴体部のボス部２４は平面部２３に設けられた円柱体２４ａと、該円柱体の外径より大きい径の外環体２４ｂが同心に設けられ、該円柱体２４ａと外環体２４ｂは切り立った直角の段差２４ｃを有している。さらに外環体２４ｂには円錐台２４ｄが形成されており、円錐台の上面は前記円柱体より径がやや小さく、さらに短平円柱２４ｅが形成されている。短平円柱の側面がエッジ２４ｆとなる。さらに短平円柱２４ｅの中央には丸穴２５ｇが開口している。
【００２９】
尻尾部の丸穴部３４は、平面部３３に開口して形成された短平の環状壁３４ａにより形成される。
環状壁３４ａの内径はボス部の円柱体２４ａの外径としてあり、平面部３３からの環状壁３４ａの高さはボス部の円柱体の２４ａの高さである。
さらに、平面部３３には環状壁の開口に沿って全周に亘り縁取３４ｂがしてあり、尻尾部の内部に突出した環状壁３４ａのリング状面３４ｃは環状内壁面に対して直角に形成されている。
【００３０】
図４にはフィギュアの胴体部と尻尾部の分割構造の組立て説明図を示す。適宜、図２、図３を参照しながら組立て工程を説明する。
図４（Ａ）に示す如く、左右ｈ１の右手ｈ２でそれぞれ胴体部２及び尻尾部３を持ち、胴体部のボス部のエッジ２４ｆが、尻尾部の丸穴部３４に斜めに引っかかるように合わせる。
次に同図（Ｂ）に示す如く、胴体部と尻尾部の分割面がピッタリと合うように、両手の力を加えてゆっくりと押し込む。すると、ボス部の円錐台部２４ｄが弾性変形しなながら、丸穴部の環状壁を押し広げるようにして挿通する。
【００３１】
同図（Ｃ）に示す如く、さらに両手で尻尾部を胴体部に押し付けるようにしながら１回転させるように回す。すると、ボス部のエッジ部２４ｆに案内された円錐台部２４ｄが丸穴部の縁取を弾性変形しながら、環状壁を押し広げながら、摺動して環状壁の内面を進む。そして、胴体部と尻尾部が一回りすると、外皮の縁取部２１、３１の形状が合致して段差部２２、３２がお互いに合い、平面部２３、３３同志が面接触するようになる。この時に、ボス部の円柱体と外環体とので構成された直角段差２４ｃは、丸穴部の環状壁のリング状面にしっかりと嵌るのである。
【００３２】
こうすると、胴体部２と尻尾部３はボス部の直角段差と開口部のリング状面で挿入方向に対し直角面で固定でき、さらに外皮の縁取部が互いに一致するので、固定後は、胴体部と尻尾部がしっかりと固定される。分割構造面が略楕円形になっているので、外皮の縁取部の段差部２２、２３がねじれや回転方向に対し、段差部が壁となっているので、容易には動かず回転してしまうことを防ぎ、接合する両者の側面から観て、前後方向のネジレを解消でき、しっかりとしたフィギュアの固定を持続させえることが可能となっている。さらに分割構造に全周囲にわたり段差部を設けてあるので、隙間が生じることはなく、外観からはボス部がみえることはなく、接続部が直接みえずにリアルな固定観賞用のフィギュアを提供しているのである。
【００３３】
図５にフィギュアのパッケージ梱包の斜視図を示し、図６にはパッケージのみの斜視図を示している。フィギュア１は胴体部２と尻尾部３に分割された状態で収納できるようにダンボール製または厚紙の保持台紙５で支持されている。保持台紙５は高さ３０ｃｍ、幅２０ｃｍ、奥行き１０ｃｍほどのに組み立てられている。保持台紙５は一枚の紙から組み立てられており、保持棚５０、背台紙６０、底保持台７０より構成されている。
【００３４】
保持棚５０の上側の背台紙６１は高さが７ｃｍほどの略矩形であり、保持棚５０は２２ｃｍ程の高さ位置で背台紙６１に連なる長方形部を手前に棚状に７ｃｍほど折込み、折返して保持棚５０の下側の背台紙６２に連接しており、表保持棚紙５１と裏保持棚紙５２から構成されている。
【００３５】
上側の背台紙６１と表保持棚紙５１との境界線６１ａ上で左右両端からそれぞれ内側に入った位置で表保持棚紙側に短平矩形にコの字状に切込みを入れて折曲片５３ａ、５３ｂを設け、裏保持棚紙５２と下側の背台紙６１の境界線５３ｃ上の該折曲片５３ａ、５３ｂに対応する位置には折曲片５３ａ、５３ｂが差込まれる線分状の切込６２ａ、６２ｂが設けられ、表保持棚紙の折曲片５３ａ、５３ｂがこの切込６２ａ、６２ｂに差込まれ、下側の背台紙６２の手前面に突出し、セロファンテープにて折曲片５３ａ、５３ｂが背台紙６２に固定される。これにより保持棚５０自体を表保持棚台紙５１と裏保持棚台紙４２お二重構造にするとともに、背台紙６２に対し直角に保持することができる。背台紙６１は境界線６１ａで手前側に折り曲げ自在になっている。
【００３６】
表保持棚紙５１及び裏保持棚紙５２から構成される保持棚５０には手前側の折返辺５３の左側には奥側に向け切欠き５４を設けて折返辺近傍位置に切欠き５４に連接する丸穴５５が設けられている。さらに折返辺５３の右側には奥側に向けて切り欠き５７が設けられ、保持棚の略中央位置に切欠き５６に連接する楕円穴５８が横設されている。丸穴５５にはフィギュアの尻尾部３の先端が切欠き５４から嵌入し保持され、楕円穴５８にはフィギュアの首が切欠き５６から嵌入し保持される。
【００３７】
保持棚５０の下側の背台紙６２は保持棚５０から下方に位置する方形体であり、底保持台７０に連接している。底保持台７０は背台紙６２の底辺で手前側に１０ｃｍ程折り込んで長方形の底板７１を構成し、さらに底板７１は手前側で上側に立設して折込み手前面７２として、手前面７２は高さ６．５ｃｍで水平に後方に折り返して台座面７３とし、さらに台座面７３の左側辺７４は手前端及び後端からほぼ１．５ｃｍ位置から内側に１ｃｍの切込み７４ａ、７４ｂが入れられており、切込み７４ａ、７４ｂ間は左外方に７ｃｍ幅で延出する延出片７５が切込みの奥から長さ６．５ｃｍの長方形状に設けられ、延出片７５の外辺には中央部３．５ｃｍで高さ１ｃｍの舌片７５ａが設けられている。
【００３８】
延出片７５は切込み７４ａ、７４ｂの奥の折曲辺７４ｃ側で下方に垂下して折り曲げられており、床板７１に達し、該床板７１には延出片７５の舌片７５ａに対応して切込７１ａが設けられており、該延出片７５の舌片７５ａが挿入され床板７１の裏側で舌片７５ａが床板７１の裏面に折り曲げられ、セロファンテープで床板７１に固定されている。
【００３９】
同様に台座面７３の右側辺７６は手前端及び後端からほぼ１．５ｃｍ位置から内側に１ｃｍの切込み７６ａ、７６ｂが入れられており、切込み７６ａ、７６ｂ間は左外方に７ｃｍ幅で延出する延出片７７が切込みの奥から長さ６．５ｃｍの長方形状に設けられ、延出片７７の外辺には中央部３．５ｃｍで高さ１ｃｍの舌片７７ａが設けられている。
【００４０】
延出片７７は切込み７６ａ、７６ｂの奥の折曲辺７６ｃ側で下方に垂下して折り曲げられており、床板７１に達し、該床板７１には延出片７７の舌片７７ａに対応して切込みが入れられた切込７１ｂが設けられており、該延出片７７の舌片７７ｂが挿入され床板７１の裏側で舌片が床板に折り曲げられ、セロファンテープで舌片７６ｂが床板７１裏側に固定されている。
これにより台座面が床板に対し延出片７５、７７が垂下して固定されるのである。
台座面内の左側中央から後方にかけてひょうたん形状のひょうたん穴７８が開口しており、さらに台座面の右側中央には丸穴７９が開口している。
【００４１】
さらに台座面７１の奥側は背台紙６２に接して下方に折り曲げられた長方形状の内側後面８０となっており、内側後面の両側の側辺８１、８２には高さ６ｃｍから２ｃｍの位置で横に０．５ｃｍの切込み８１ａ、８１ｂ、８２ａ、８２ｂが入れられ後方に折り曲げる舌片８１ｃ、８２ｃが形成され、内側後面の舌片８１ｃ、８２ｃの折り曲げ位置に対応する背台紙６２には舌片８１ｃ、８２ｃが挿入される線分状の切込６３ａ、６３ｂが設けられており、舌片８１ｃ、８２ｃが挿入され、背台紙６０の裏側で内側に折り曲げられセロファンテープにより固定される。
【００４２】
さらに内側後面８０の床面に達する下辺８３では左右両側からやや離れた位置に舌片８３ａ、８３ｂが内側後面８０に連接して設けてあり、内側後面８０が背台紙６０に密着した状態で舌片８３ａ、８３ｂに対応する床板７１には線分状の切込み７１ａ、７１ｂが設けられ、舌片８３ａ、８３ｂが挿入され、床板７１の裏側で底板に折り曲げられセロファンテープにより固定される。
【００４３】
以上により底保持台７０は、延出片７５、７７により支えられその舌片７５ａ、７７ａにより床板７１に固定され、さらに内側後面の舌片８１ｃ、８２ｃで背中板６０に固定され、さらに内側後面の舌片７８ｃ、７８ｄで床板７１にそれぞれセロファンテープにより固定されるので、頑強な底保持台となるのである。
【００４４】
保持台紙４の背台紙６１には楕円形の台座４が長径部が水平に脚受体４ｂが右側になるようにして、台座４が背台紙の側辺両側から多少はみ出し、台座の短径部が背台紙の保持棚５０と底保持台の台座面までの距離程度であり、台座４は図示しないビニール袋に入れられ、両側セロファンテープにより固定されている。
保持棚の楕円穴５７と底保持台の丸穴７９、ひょうたん穴７８の後ろ側の丸穴７８ａには胴体部２が保持される。
【００４５】
つまり、胴体部の分割構造のボス部２４が底保持台の丸穴７９に嵌入され、左後脚部２ｃがひょうたん穴７８の後方穴７８ａ側に入り底板７１の裏面に脚裏を付けて、右後脚２ｂは手前表に出て、フィギュアの首部が保持棚の楕円穴５７に切欠５６から挿入して保持棚５０の上側に頭部を出して保持される。さらにひょうたん穴７８の手前穴７８ｂには尻尾部の分割面側が挿入され、分割面は底板に当接して尻尾部の先端側が保持棚５０の丸穴５５の切欠５４に挿入されて保持される。これにより尻尾部３を胴体部２の前脚２ｄ、２ｅで支え持つような姿勢で保持される。
【００４６】
上記のように保持台紙に胴体部２及び尻尾部３、台座４を展示して収納することにより、全体の重心をほぼパッケージ底面の中央寄りに位置することができており、パーケッジ全体の座りが非常によくなり、手前側や後方側に倒れずらくなるのである。
またパッケージ５を寝かした状態の重心はちょうど台座の長径部にくるようになっている。
【００４７】
フィギュア１は分割されて、胴体部２及び尻尾部３、台座４を保持台紙５に取り付け、持台座の底面に合わせたビニール製の袋に入れられ上側をヘッダ９０にて止められ梱包され、保持台紙の底部からヘッダまで５０ｃｍほどの高さとなっており、ヘッダ９０は保持台紙の奥行きのほぼ中央に位置するようになっており、横方向から見るとほぼ吊鐘状になっており、外から見て内部のフィギュアが見やすいように保持台紙に展示されている。これにより上側の背台紙６１が手前側に多少傾くようにビニール袋で押されるのである。これによりフィギュアのパッケージが後ろに倒れて場合に上側の背台紙６１と床面との間に隙間が生じることになる。
【００４８】
ヘッダ９０は、短平の刷毛形状であり、短平矩形９１の上辺側が横太Ｔ字状９２になっており、下側は折返片９３が設けられ、さらに下側左右両側には横接片９４ａ、９４ｂが設けられ折り返しになっており折返片の裏側で保持台座を収納するポリプロピレン製のビニール袋をセロファンテープで止められる。さらに横太Ｔ字状９２の中央上部には紐を通す丸穴９２ａ、９２ｂが２つ開口しており、紐９５が通されて輪を作っている。
【００４９】
このヘッダ９０は紙製で、英大文字のＩと引き算記号の−を合成した形を横太にした形状で、Ｉの上側の横棒部分が下側の横棒部分より縦幅があり、折返片９３になっており、さらにＩ字の下側の横棒部分の左右両側面に横設する横設片９４ａ、９４ｂを設けた一枚の紙から、Ｉ字と−字の合成した−字の中央を上下に分ける線で折り込み二重にして横設片９４ａ、９４ｂを裏側の紙の表に折込みセロファンテープで止めて構成される。
【００５０】
図７はクーンゲーム機へのフィギュアのパッケージの展示状態を示す斜視図である。
クレーンゲーム機１００は操作者が操作部１０１のコイン投入口１０２に硬貨を投入して所定のクレット数をクレジット表示部１０３に表示し、横方向操作ボタン１０４、後方向操作ボタン１０５を操作して景品展示室１０６の天井部から釣り下がっている景品把持部１０７を任意の位置に操作し、景品把持部を降下させて景品把持部の把持爪１０８で景品展示床面に１０９に展示されている景品のパッケージＰを把持して吊り上げて、景品展示室脇の景品落下口１１０に落し、クレーンゲーム機の手前下側の景品取出口１１１から外部に取出すようになっている。
【００５１】
景品把持部１０７は所定のクレジットが投入された後に、横方向操作ボタン１０４を押している間のみ、景品落下口１１０の真上のホームポジション位置から右方向に定速度で移動し、次に後方向ボタン１０５を押すと押している間だけ把持部１０７が後方に定速度で移動するのである。そして後方向ボタン１０５を離すと、景品把持部１０７は後方移動を止めて操作者の操作から離れ、景品把持部１０７は自動的に把持爪１０８を開きながら下降してくる。そして把持爪１０８が物体に当るとその場で把持爪１０８を閉じる動作を行い、閉じ動作が終わると把持部１０７は天井に向けて吊り上げられ、天井部に景品把持部１０８が戻ると景品落し口１１０にそのままの状態で移動して、景品落下口１１０の真上に来ると閉じていた把持爪１０８を開く動作を行うのである。従ってうまく景品を把持したまま、景品落下口１１０まで持って来た場合は景品Ｐが景品落下口１１０に落すことができるのである。
【００５２】
図８には景品把持部の構造示す。図８（Ａ）は景品把持部の内部構造を示す斜視図であり、同（Ｂ）は把持爪を閉じた把持部の正面図である。
景品把持部１０７の内部構造は景品把持部内に設けたモータ１０７ａの駆動により２本の把持爪１０８が開く方向に動かし、各把持爪１０８は景品把持部の両端１０８ａ、１０８ｂで開閉自在に軸支されており、両把持爪１０８は景品把持部の底側で張架されたバネ１０７ｂにより常時閉じる方向に付勢されている。これにより把持爪１０８はモータ１０７ａの駆動が閉じる方向に動くとバネ１０７ｂにより閉じる方向に付勢されるので、その把持爪間にある景品をつかむ力となる。このバネ１０７ｂの引っ張り強さを変えることで把持爪１０８の把持力を変更することができる。把持爪１０８の角度は爪１０８ｃを取りかえることでいろいろと変更でき、同図（Ａ）では閉じる手前で、爪が上方向に向いており、同図（Ｂ）では把持爪が閉じた状態で爪は水平になっており、このように爪の角度、及び爪の大きさや形状は爪を取りかえることで変更可能である。
【００５３】
図９は寝た状態の本願パッケージを把持しようとする景品把持部を示す説明図である。
パッケージ５は台座５の長径部で切断した切断面を表しており、胴体部２及び尻尾部３の断面とビニール袋の断面が一点鎖線で描かれている。
背中板６０が景品展示室床面１０９に当接した状態で倒れた場合にパッケージ５の重心は台座５の楕円の長径部４ｂにあり、この長径部４ｂは背中板６１から両側に多少出ており、把持爪１０８をうまく操り、背中板６１の厚みの分、台座の長径部５ｂが浮いているので、ここの隙間に把持爪１０８をうまく掛けることで、バランスよくパッケージＰを吊り上げることが可能となる。
【００５４】
ここで本願発明のフィギュアのパッケージＰを吊り上げられるように、把持爪１０８の両爪間の距離は開いた状態では、少なくともパッケージの横幅以上に開くことができるようになっている。そして把持爪１０８がヘッダ９０の下側を挟み吊り上げたり、あるいは紐９４に把持爪１０８を入れて吊り上げたりする。さらには把持爪１０８が底保持台を掴みやすいように左右側は延出片７５、７７が中央部にしか存在しておらず、底保持台が把持爪１０８で把持しやすい構造になっているので、パッケージが倒れている場合等には底保持台７０を把持することもできるようになっている。さらには胴体部２あるいは尻尾部３間に把持爪１０８を掛けることも可能であり、そのためにビニール袋のヘッダ９０までの空間に余裕が持たせてある。
【００５５】
景品落下口パッケージが縦方向に落ちる際には落下口の縁には当らない大きさになっているが、パッケージが寝かした状態で落下した際には景品落下口は円形でありその直径はパッケージの長さより短く、落下口に掛け渡すように引っかかるようになっており、この場合は再度、景品把持部を操作してパッケージを景品落下口に落す操作をしなければならない。
あるいはその設置店のルールとして景品落下口に景品全体が載っていればＯＫにしてあれば店員を呼んで、取ってもらってもよい。それは各店舗で決めることで対応すればよいものとする。
【００５６】
【発明の効果】
本願発明は上述した如く構成したことにより、各種のフィギュアを設計するにあたり、分割部を任意に選ぶことができ、接合構造を本体の輪郭に沿ったものにしないことで、分割断面の形状とは無関係に、ボス部の形状は分割部に合わせて大きさを変えるだけでできるので、金型の設計にあたり、ボス部の拡大、縮小するだけで済むので金型の設計図面の作成時間が短縮できる。
【００５７】
さらに、分割部の接続部の設計図面を同一にすることで、今後発生するであろう他の商品への応用が利くのである。
さらにフィギュアの組立てにあたり、本願の構造を採用することにより、接合が容易であり、接合面は平面によって両者が接合でき、且つ接合面が外皮の段差により隠すことができるので、接合部の構造上隙間等が見えず、気になることはない。
【００５８】
さらに接合部の断面が円以外の形状の場合には、外皮の辺縁部が環状の段差になっていることで接合する両者の側面からみて前後方向へのネジレを解消することができるのである。
さらに本願の分割構造による接合はボス部側の一定の丸みを設けることで、複数回の取り外しができるのである。
【００５９】
ビニール袋とヘッダによるパッケージ形状を採用する商品群について、底面台紙を用いたことにより、商品そのものが自立できない商品でもパッケージそのものが自立でき、狭い床面面積でも有効に陳列することができるのである。
さらにフィギュアの胴体部の分割構造のボス部を底保持台に嵌め込むことで、フィギュア胴体と底保持台の密着度が増し、安定したパッケージの自立を見込めるのである。
【００６０】
さらに、商品のパッケージ構造において、胴体部が尻尾部を抱き抱えるように配置しており、さらに台座の脚受体が胴体部の背中に位置して保持する形になっており、正面からみた構図が安定しており、単に商品を収納するだけでなく、安定したディスプレイ性が高いのである。
【００６１】
さらに、パッケージの横幅がクレーンゲーム機の把持爪の開閉幅より狭くなっており、パッケージを自体の重心から離れた位置においてパッケージの横両側面に景品把持部の把持爪を入れて把持できるように開口部を設けてあるので、パッケージが倒れている状態でもパッケージに把持爪をかけることで、吊り上げられるのである。
尚さらに、パッケージの重心位置の横幅位置に合えて背台紙の横幅より多少大きい部品を保持することで、パッケージが背台紙をクレーンゲーム機の景品展示台の床面に接している場合でも、床面から背台紙の厚み分だけ背台紙の横幅より大きい部品に把持爪を掛けて吊り上げることが可能となるのである。
【００６２】
尚、さらにパッケージが倒れていても把持爪で掴みやすいように胴体部や尻尾部を保持台紙によりパッケージの背台紙より浮かして保持しているので、この部分に把持爪を掛けて吊り上げることも可能にしてあるのである。
【図面の簡単な説明】
【図１】軟質樹脂の恐竜のフィギュアが楕円形の台座に固定されている前方斜視図ある。
【図２】フィギュアの胴体部と尻尾部の分割部の構造を示す斜視図である。
【図３】胴体部と尻尾部の分割部の概略図である。
【図４】フィギュアの胴体部と尻尾部の分割構造の組立て説明図である。
本発明の遊戯カードのモンスターカードの実施例である。
【図５】フィギュアのパッケージ梱包の斜視図である。
【図６】パッケージのみの斜視図である。
【図７】クーンゲーム機へのフィギュアのパッケージの展示状態を示す斜視図である。
【図８】景品把持部の構造と、パッケージとの関係を示す説明図である。
【図９】従来技術の説明図である。
【符号の説明】
１…フィギュア、
２…胴体部、
３…尻尾部、
４…台座、
５…パッケージ、
２０…分割構造、
２１…縁取部、
２２…段差部、
２３…平面部、
２４…ボス部、
２４ａ…円柱体、
２４ｂ…外環、
２４ｃ…直角段差、
２４ｄ…円錐台、
２４ｅ…短平円柱、
２４ｆ…エッジ面、
２４ｇ…丸穴、
３０…分割構造、
３１…縁取部、
３２…段差部、
３３…平面部、
３４…丸穴部、
３４ａ…環状壁、
３４ｂ…縁取、
３４ｃ…リング状面、
４０…分割面
５０…保持棚、
６０…背台紙、
７０…底保持台、
８０…内側後面、
９０…ヘッダ、
１００…クレーンゲーム機、
１０１…操作部、
１０２…コイン投入口、
１０３…クレジット表示部、
１０４…横方向操作ボタン、
１０５…後方向操作ボタン、
１０６…景品展示室、
１０７…景品把持部、
１０８…把持爪、
１０９…景品展示床面、
１１０…景品落下口、
１１１…景品取出口、
【図１】
2005000620.tif 000003
【図２】
2005000620.tif 000004
【図３】
2005000620.tif 000005
【図４】
2005000620.tif 000006
【図５】
2005000620.tif 000007
【図６】
2005000620.tif 000008
【図７】
2005000620.tif 000009
【図８】
2005000620.tif 000010
【図９】
2005000620.tif 000011
【図１０】
2005000620.tif 000012
【手続補正書】
【提出日】平成16年4月15日(2004.4.15)
【手続補正１】
【補正対象書類名】図面
【補正対象項目名】全図
【補正方法】変更
【補正の内容】
【図１】
2005000620.tif 000013
【図２】
2005000620.tif 000014
【図３】
2005000620.tif 000015
【図４】
2005000620.tif 000016
【図５】
2005000620.tif 000017
【図６】
2005000620.tif 000018
【図７】
2005000620.tif 000019
【図８】
2005000620.tif 000020
【図９】
2005000620.tif 000021
【図１０】
2005000620.tif 000022